(57)【要約】【課題】基台に複数のモータを取付けるについての、基台の生産費用の低減並びに生産管理の負担の軽減ができる洗濯機を提供する。【解決手段】基台１の上方に洗濯槽を具え、この洗濯槽の内部に撹拌体を具えて、この撹拌体を、洗濯槽の下方（基台１上）に位置する、モータを主体とする駆動装置により回転駆動することにより、洗濯物を洗濯水と共に撹拌して洗濯をするようにした洗濯機において、基台１の複数箇所に、モータを選択的に取付けるモータ取付部２３，２４を設けた。【選択図】図１
2014073296.tif 000002
【特許請求の範囲】
【請求項１】
基台と、
この基台の上方に配設した洗濯槽と、
この洗濯槽の内部に配設した撹拌体と、
前記洗濯槽の下方に位置して前記撹拌体を回転駆動する、モータを主体とする駆動装置とを具備し、
前記洗濯槽の内部に洗濯物を洗濯水と共に収容し、前記撹拌体を回転駆動することにより、前記洗濯物を洗濯水と共に撹拌して洗濯をするようにした洗濯機において、
前記基台の複数箇所に、前記モータを取付けるモータ取付部を設けたことを特徴とする洗濯機。
【請求項２】
複数箇所のモータ取付部は、撹拌体の中心位置からの距離を異ならせて存在することを特徴とする請求項１記載の洗濯機。
【請求項３】
複数箇所のモータ取付部は、仕様の異なるモータを取付けるようになっていることを特徴とする請求項１又は２記載の洗濯機。
【請求項４】
駆動装置はモータからベルト伝動機構を介して撹拌体を回転駆動されるようになっていて、複数箇所のモータ取付部は、モータを３点で取付けるものであり、そのうちの２点を１点よりも撹拌体の中心位置から遠い位置に配置したことを特徴とする請求項１ないし３のいずれかに記載の洗濯機。
【請求項５】
複数箇所のモータ取付部は、モータを位置調整可能な調整ボスを介して取付けるようになっていて、その調整ボスが有する爪部を係合するための孔を有し、この孔のうちの前記爪部と干渉しない位置に、孔の面積を狭めるように設けられて虫の侵入を阻止する阻止部材を有することを特徴とする請求項１ないし４のいずれかに記載の洗濯機。
【発明の詳細な説明】
【技術分野】
【０００１】
本発明の実施形態は洗濯機に関する。
【背景技術】
【０００２】
従来より、洗濯機においては、基台の上方に洗濯槽が具えられ、洗濯槽の内部に撹拌体が具えられて、この撹拌体を、洗濯槽の下方（基台上）に位置するモータを主体とする駆動装置によって回転駆動することにより、洗濯物を洗濯水と共に撹拌して洗濯をするようにしたもの（特には二槽式洗濯機）が供されている。
このものの場合、基台には、上述のモータ（洗濯用モータ）を取付ける取付部が１箇所に設けられており、従って、その取付部には、それに合った１種類のモータのみが取付けられるようになっている（例えば特許文献１，２参照）。
【先行技術文献】
【特許文献】
【０００３】
【特許文献１】実開昭５８−３５３８１号公報
【特許文献２】実開平３−６２５８１号公報
【発明の概要】
【発明が解決しようとする課題】
【０００４】
上記従来のものの場合、取付位置や取付方等の異なるモータを取付けるには、それに個々に合った取付部を具える２種類の基台が必要であり、その結果、複数の成形型が必要となって生産費用が増し、且つ、生産管理の負担も大きくなるという問題点を有していた。
【０００５】
そこで、生産費用の低減並びに生産管理の負担の軽減ができる洗濯機を提供する。
【課題を解決するための手段】
【０００６】
本実施形態の洗濯機は、基台と、この基台の上方に配設した洗濯槽と、この洗濯槽の内部に配設した撹拌体と、前記洗濯槽の下方に位置して前記撹拌体を回転駆動する、モータを主体とする駆動装置とを具備し、前記洗濯槽の内部に洗濯物を洗濯水と共に収容し、前記撹拌体を回転駆動することにより、前記洗濯物を洗濯水と共に撹拌して洗濯をするようにしたものにおいて、前記基台の複数箇所に、前記モータを取付けるモータ取付部を設けたことを特徴とする。
【図面の簡単な説明】
【０００７】
【図１】第１の実施形態を示す洗濯機基台の平面図
【図２】異なる洗濯機基台の平面図
【図３】洗濯機全体の外観斜視図
【図４】洗濯機全体の縦断正面図
【図５】洗濯機基台の斜視図
【図６】一つのモータ取付部の平面図
【図７】異なるモータ取付部の平面図
【図８】一つのモータ取付部の斜視図
【図９】異なるモータ取付部の斜視図
【図１０】一つのモータ取付部のモータ取付状態における破断正面図
【図１１】異なるモータ取付部のモータ取付状態における破断正面図
【図１２】調整ボス単体の斜視図
【図１３】第２の実施形態を示す図２部分相当拡大図
【図１４】第３の実施形態を示す図６相当図
【図１５】図１４のXV−XV線に沿う拡大断面図
【発明を実施するための形態】
【０００８】
以下、第１の実施形態につき、図１ないし図１２を参照して説明する。
まず、図３には、洗濯機、特には二槽式洗濯機の外観を示しており、下部に基台１を有し、上部に槽ユニット２を有している。槽ユニット２は、図４に示すように、左側が洗濯槽２ａ、右側が脱水槽２ｂとなっており、洗濯槽２ａの前壁部、左側壁部、及び後壁部と、脱水槽２ｂの前壁部、右側壁部、及び後壁部とが一体に連なって筐体を構成している。又、洗濯槽２ａの右側壁部と脱水槽２ｂの左側壁部は共通となっていて、両槽間の仕切壁となっている。
【０００９】
洗濯槽２ａの奥側の一隅所には、溢水ストレーナ３を装着しており、洗濯槽２ａの内下部に撹拌体４を回転可能に配設している。撹拌体４は円盤状で、上面に複数の撹拌突起４ａを有している。洗濯槽２ａの底部には、撹拌体４の下方に位置する部分に排水口５を形成しており、この排水口５には、排水弁６を介して、図示しない排水ホースを連ねている。排水ホースは、先端部が機外に臨んでおり、中間部に、図示しない溢水管を介して前記溢水ストレーナ３が覆った図示しない溢水口を接続している。
【００１０】
洗濯槽２ａの外下面部には軸受機構７を設けており、この軸受機構７で支承した軸７ａの上端部を、洗濯槽２ａの底部を水密且つ回転可能に貫通させて洗濯槽２ａの内下部に突出させ、その突出部分に前記撹拌体４をねじ８により取付けている。
一方、軸受機構７で支承した軸７ａの下端部には、洗濯槽２ａの下方に位置させて従動プーリ９を取付けており、他方、洗濯槽２ａ外下方の、従動プーリ９からやゝ離間した位置には洗濯用モータ１０を配設していて、この洗濯用モータ１０の回転軸１０ａに取付けた駆動プーリ１１と従動プーリ９との間に伝動ベルト１２を張架している。
【００１１】
この結果、撹拌体４は、洗濯用モータ１０により、駆動プーリ１１、伝動ベルト１２、及び従動プーリ９のベルト伝動機構、並びに軸受機構７を順に介して回転駆動、特には時計回りと反時計回りの正逆両方向に交互に低速回転駆動され、その回転により、洗濯槽２ａに収容した図示しない洗濯物を図示しない洗濯水と共に撹拌して洗濯水流を生成し、洗濯をするようになっている。従って、洗濯用モータ１０、駆動プーリ１１、伝動ベルト１２、従動プーリ９のベルト伝動機構、並びに軸受機構７は、撹拌体４を回転駆動する駆動装置Ｋ１を構成するものである。
【００１２】
脱水槽２ｂの内部には、脱水かご１３を回転可能に配設している。脱水かご１３は、周側部に環状の補強リブ１３ａと脱水孔１３ｂをともに多数有するものであり、この脱水かご１３を回転駆動する脱水用モータ１４と、その回転を制止するブレーキ装置１５とを脱水槽２ｂの外下方に配設している。
【００１３】
この結果、脱水かご１３は、脱水用モータ１４により直に回転駆動、中でも一方向に高速回転駆動され、その回転により、脱水かご１３内に収容した洗濯物の遠心脱水をするようになっている。従って、脱水用モータ１４は脱水かご１３を回転駆動する駆動装置として機能するものである。なお、脱水槽２ｂにも、底部には排水口１６を形成しており、この排水口１６を図示しない接続管で前記排水ホースの中間部に連ねている。
【００１４】
このほか、洗濯槽２ａ及び脱水槽２ｂ上には操作パネル１７を設けており、この操作パネル１７には、洗濯用タイマーの操作つまみ１８と、洗濯用の水流強度切換え及び排水選択用の操作つまみ１９、脱水用タイマーの操作つまみ２０、給水切換え用操作つまみ２１、及び給水ホース接続口２２を設けている。又、洗濯槽２上には蓋２ｃを着脱可能に設け、脱水槽３上には蓋２ｄを開閉可能に軸支して設けている。
【００１５】
ここで、図５〜図７、図１及び図２は、前記基台１を上方より見て表している。これらの図から明らかなように、基台１の内底面には、モータ取付部２３，２４とモータ取付部２５とをプラスチックによる基台１との一体成形で設けている。そのうち、モータ取付部２３，２４は前記洗濯用モータ１０を選択して取付けるためのものであり、モータ取付部２５は前記脱水用モータ１４を取付けるためのものである。
【００１６】
そして、モータ取付部２３は前記従動プーリ９の右前側に存在し、モータ取付部２４は従動プーリ９を挟んでモータ取付部２３とは対称的に従動プーリ９の左後側に存在している（図１及び図２参照）。換言すれば、モータ取付部２３とモータ取付部２４は、前記撹拌体４の中心位置を挟んで対称的な２箇所に位置しており、更には、前記撹拌体４の中心位置からの方向の異なる複数箇所（この場合、２箇所）に位置しているのである。特に、撹拌体４の中心位置からの方向が異なるのは、モータ取付部２３とモータ取付部２４の各中心位置である。
【００１７】
更に、モータ取付部２３は、複数（この場合、３点）の単位取付部２３ａ，２３ｂ，２３ｃから成るもので、モータ取付部２４も、複数（この場合、３点）の単位取付部２４ａ，２４ｂ，２４ｃの３点から成るものであり、いずれも２点の単位取付部２３ａ，２３ｂ、２４ａ，２４ｂが従動プーリ９側（撹拌体４の中心位置に近い側）に位置し、残り１点の単位取付部２３ｃ、２４ｃがそれとは反対側（撹拌体４の中心位置から遠い側）に位置している。
【００１８】
又、そのうちの２点の単位取付部２３ａ，２３ｂ、２４ａ，２４ｂの、それぞれ撹拌体４の中心位置からの距離Ｌ１，Ｌ２（図１参照）の違いで明らかなように、モータ取付部２３，２４は、撹拌体４の中心位置からの距離を異ならせて存在している。詳しくは、モータ取付部２３が、モータ取付部２４より撹拌体４の中心位置から遠くに位置している。
【００１９】
加えて、図８図及び図９に示すように、２点の単位取付部２３ａ，２３ｂ、２４ａ，２４ｂは、基台１の内底面から多段に漸次細く隆起したほゞ円筒状のもので、その中心部にねじ孔２７，２８を有するものであり、残り１点の単位取付部２３ｃ、２４ｃは、基台１の内底面からほゞ四角筒状に隆起したもので、その上部に矩形の孔２９、３０を上下に開通させて有し、その孔２９、３０の各両側の部分にそれぞれ２点の単位取付部２３ａ，２３ｂ、２４ａ，２４ｂ方向に列する多数の歯部３１、３２を有している。
【００２０】
この構成で、図１０に示すように、単位取付部２３ａ，２３ｂには、それぞれゴムなど弾性材から成るブッシュ３３を上部に被装し、単位取付部２３ｃには、おなじくゴムなど弾性材から成るブッシュ３５を被装した調整ボス３６を上部に取付けている。調整ボス３６は、図１２に示すように、下部が二股の爪部３６ａとなっており、上部が２段に漸次細く隆起したほゞ円筒状構成となっていて、その中心部にねじ孔３６ｂを有し、上下部間の中間部の両側下面には歯部３６ｃを有していて、上記単位取付部２３ｃに対しては、爪部３６ａを孔２９に挿入して係合させると共に、歯部３６ｃを歯部３１に係合させることにより、取付けている。
【００２１】
なお、歯部３１に対する歯部３６ｃの係合は、その係合位置を変えることで、歯部３１の列した方向に位置変更可能であり、それによって、前記駆動プーリ１１と従動プーリ９との間に張架した伝動ベルト１２の張りを調整できるようになっている。
【００２２】
そして又、図１０に示すように、ブッシュ３３，３５には、その後に、又はあらかじめ、洗濯用モータ１０の取付フランジ１０ｂを嵌着し、ブッシュ３３の上からワッシャ３７ａを介してねじ３７をねじ孔２７に螺挿して締付け、ブッシュ３５の上からワッシャ３８ａを介してねじ３８をねじ孔３６ｂに螺挿して締付けている。このようにして取付部２３に洗濯用モータ１０を取付けている。
【００２３】
これに代わって、モータ取付部２４に洗濯用モータ１０を取付けるには、図１１に示すように、単位取付部２４ａ，２４ｂに、それぞれゴムなど弾性材から成るブッシュ３９を上部に被装し、単位取付部２４ｃの上部には、おなじくゴムなど弾性材から成るブッシュ４１を被装した調整ボス４２を取付ける。調整ボス４２は、調整ボス３６同様に、下部が二股の爪部４２ａとなっており、上部が２段に漸次細く隆起したほゞ円筒状構成となっていて、その中心部にねじ孔４２ｂを有し、上下部間の中間部の両側下面には歯部４２ｃを有していて、上記単位取付部２４ｃに対しては、爪部４２ａを孔３０に挿入して係合させると共に、歯部４２ｃを歯部３２に係合させることにより、取付けている。
【００２４】
なお、歯部３２に対する歯部４２ｃの係合も、その係合位置を変えることで、歯部３２の列した方向に位置変更可能である。
そして、ブッシュ３９，４１には、その後に、又はあらかじめ、洗濯用モータ１０の取付フランジ１０ｂを嵌着し、ブッシュ３９の上からワッシャ４３ａを介してねじ４３をねじ孔２８に螺挿して締付け、ブッシュ４１の上からワッシャ４４ａを介してねじ４４をねじ孔４２ｂに螺挿して締付けている。このようにしてモータ取付部２４に洗濯用モータ１０を取付ける。
【００２５】
なお、モータ取付部２４に取付けた洗濯用モータ１０の回転軸１０ａには、前記駆動プーリ１１とは異なる、例えばそれより径大な駆動プーリ４５（図２参照）を取付ける。又、この場合、洗濯槽２ａの外下面部には、前記軸受機構７に代わって、複数のギヤ列を内蔵した減速機（図示せず）を設け、この減速機の上方に突出した出力軸を前記洗濯槽２ａの底部を水密且つ回転可能に貫通させて洗濯槽２ａの内下部に突出させ、その突出部分に前記撹拌体４を取付ける。更に、減速機の下方に突出した入力軸には、前記軸受機構７の軸７ａの下端部に取付けた従動プーリ９に代わって、それとは異なる、例えばそれより径小な従動プーリ４７（図２参照）を取付け、この従動プーリ４７と上記駆動プーリ４５との間に伝動ベルト（図示せず）を張架する。
【００２６】
この結果、この場合には、撹拌体４は、洗濯用モータ１０により、駆動プーリ４５、図示しない伝動ベルト、及び従動プーリ４７のベルト伝動機構、並びに図示しない減速機を順に介して回転駆動されるようになっている。従って、その、洗濯用モータ１０、駆動プーリ４５、伝動ベルト、及び従動プーリ４７のベルト伝動機構、並びに減速機は、撹拌体４を前記駆動装置Ｋ１に代わって回転駆動する駆動装置Ｋ２（図２参照）を構成するようになっている。又、前記モータ取付部２４の単位取付部２４ｃにおける歯部３２に対する調整ボス４２の歯部４２ｃの係合位置が変更可能である点は、それによって、図示しない伝動ベルトの張りが調整できることを意味している。
【００２７】
更に、前記駆動装置Ｋ１の減速比と駆動装置Ｋ２の減速比は異なり、この場合、駆動プーリ１１が径小で、従動プーリ９が径大であるものの、減速機を有しない駆動装置Ｋ１の減速比より、駆動プーリ１１が径大で、従動プーリ４７が径小であるものの、減速機を有する駆動装置Ｋ２の減速比が大きくなっている。
なお、脱水用モータ１４を取付けるモータ取付部２５も、単位取付部２５ａ，２５ｂ，２５ｃの３点から成るもので、これらには弾性支持部材４９（図４参照）を介して脱水用モータ１４を取付けているが、その詳細な説明は割愛する。
【００２８】
このように本実施形態においては、基台１の上方に洗濯槽２ａを具え、この洗濯槽２ａの内部に撹拌体４を具えて、この撹拌体４を、洗濯槽２ａの下方（基台１上）に位置する、洗濯用モータ１０を主体とする駆動装置Ｋ１又は駆動装置Ｋ２により回転駆動することにより、洗濯物を洗濯水と共に撹拌して洗濯をするようにした洗濯機において、基台１の複数箇所である２箇所に、上記洗濯用モータ１０を選択的に取付けるモータ取付部２３，２４を設けている。
【００２９】
これにより、洗濯用モータ１０を選択的に取付けるのに、それに個々に合ったモータ取付部２３，２４のいずれかを選択して取付ければ良く、従来のもののような２種類の基台を必要とせずに、１種類の基台１を用意することで足る。この結果、基台１の成形型も複数セットを必要とせずに単数セットで済ませ得、生産費用の低減ができる。又、基台１が１種類を用意することで足ることにより、生産管理の負担も軽減することができる。
【００３０】
特に、本実施形態においては、２箇所のモータ取付部２３，２４は、撹拌体４の中心位置からの距離を異ならせて存在するようにしている。これにより、従動プーリ９，４７の径の違いに対応する洗濯用モータ１０の選択取付けが容易且つ確実にできる。この場合、２箇所のモータ取付部２３，２４は、単位取付部２３ａ〜２３ｃの全部並びに単位取付部２４ａ〜２４ｃの全部が、それぞれ撹拌体４の中心位置に向かって同じ方向に並行的にその距離を異ならせるように存在するものである。
【００３１】
本実施形態においては、２箇所のモータ取付部２３，２４に仕様の異なる洗濯用モータ１０を選択取付けするようにしても良いもので、その仕様の異なる洗濯用モータ１０の選択取付けが容易且つ確実にできる。この場合には、２箇所のモータ取付部２３，２４の、撹拌体４の中心位置からの距離は同じであっても良い。
なお、洗濯用モータ１０の仕様の違いは、例えばそれらの取付部の違いであったり、もしくは出力の違いや、大きさの違い、又はモールドモータとフレーム囲繞モータの違いなどであったりする。これに対して、上述の従動プーリ９，４７の径の違いに対応する場合は、洗濯用モータ１０自体の仕様は同じであっても良い。
【００３２】
以上に対して、図１３ないし図１５は第２及び第３の実施形態を示すもので、それぞれ、第１の実施形態と同一の部分には同一の符号を付して説明を省略し、異なる部分についてのみ述べる。
【００３３】
［第２の実施形態］
図１３に示す第２の実施形態においては、単位取付部２３ａ〜２３ｃ、２４ａ〜２４ｃの３点で洗濯用モータ１０を選択的に取付けるモータ取付部２３，２４について、そのうちの２点の単位取付部２３ａ，２３ｂ、２４ａ，２４ｂを撹拌体４の中心位置から遠い位置に配置し、他の１点の単位取付部２３ｃ，２４ｃを撹拌体４の中心位置に近い位置に配置している（図は取付部２４側についてのみ代表して表しており、取付部２３側は単位取付部２４ａ〜２４ｃとは対称的である）。すなわち、２点の単位取付部２３ａ，２３ｂ、２４ａ，２４ｂを、他の１点の単位取付部２３ｃ，２４ｃよりも撹拌体４の中心位置から遠い位置に配置している。
【００３４】
このようにすることにより、伝動ベルト１２及び図示しない伝動ベルトによる張力で引張られて伸ばされるようになる側であって、伸ばされれば伝動ベルト１２及び図示しない伝動ベルトの張りを低下させる側を、単位取付部２３ａ，２３ｂ、２４ａ，２４ｂのそれぞれ２点で支えることになり、それだけ伝動ベルト１２及び図示しない伝動ベルトによる張力に対して洗濯用モータ１０を強く支え得るから、伝動ベルト１２及び図示しない伝動ベルトの張りの持続が確実にできる。又、それにより、撹拌体４に対する、伝動ベルト１及び図示しない伝動ベルトを介しての洗濯用モータ１０の駆動力の伝達も確実にできて、所期の洗濯効果を充分に発揮させることができる。
【００３５】
なお、この場合の洗濯槽２ａ及び脱水槽２ｂは、容積（洗濯容量及び脱水容量）が大きく、そのために基台１も大きくて、２点の単位取付部２３ａ，２３ｂ、２４ａ，２４ｂを撹拌体４の中心位置から遠い位置に配置するのに寸法上余裕のあるものが適する。
【００３６】
［第３の実施形態］
図１４及び図１５に示す第３の実施形態においては、モータ取付部２３，２４のうちの、洗濯用モータ１０を位置調整可能な調整ボス３６，４２を介して取付ける単位取付部２３ｃ，２４ｃについて（図はモータ取付部２３側についてのみ代表して表している）、その調整ボス３６，４２が有する爪部３６ａ，４２ａを係合するための孔２９，３０のうちの、爪部３６ａ，４２ａと干渉しない位置に、虫の侵入を阻止する阻止部材５１を設けている。
【００３７】
詳細には、阻止部材５１は、この場合、リブであって、これを調整ボス３６，４２の孔２９，３０のそれぞれ奥部の中央位置に、孔２９，３０の長手方向（歯部３１、３２の列する方向）の全長にわたり設けていて、要するに孔２９，３０の面積を狭めるものであり、それによって、図１５に示すように、孔２９，３０に係合する調整ボス３６，４２の爪部３６ａ，４２ａと干渉することなく、特に洗濯用モータ１０を取付けない側のモータ取付部２３又は２４での、ごきぶりや蜘蛛等の虫の侵入を阻止することができる。
【００３８】
以上説明した洗濯機は、上記実施形態にのみ限定されるものではなく、特にモータ取付部は３箇所、４箇所など、２箇所より多く設けても良いもので、要するに複数箇所に設けるものであれば良い。又、モータ取付部は撹拌体の中心位置を挟んで対称的に位置するものに限られず、その角度を異ならせて位置するものであっても良く、更に脱水機能は具わっていなくても良いなど、要旨を逸脱しない範囲内で適宜変更して実施し得る。
【００３９】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４０】
図面中、１は基台、２ａは洗濯槽、４は撹拌体、１０は洗濯用モータ（モータ）、１２は伝動ベルト、Ｋ１は駆動装置、２３，２４はモータ取付部、２３ａ〜２３ｃ，２４ａ〜２４ｃは単位取付部、２９、３０は孔、３６は調整ボス、３６ａは爪部、４２は調整ボス、４２ａは爪部、Ｋ２は駆動装置、５１は阻止部材を示す。
【図１】
2014073296.tif 000003
【図２】
2014073296.tif 000004
【図３】
2014073296.tif 000005
【図４】
2014073296.tif 000006
【図５】
2014073296.tif 000007
【図６】
2014073296.tif 000008
【図７】
2014073296.tif 000009
【図８】
2014073296.tif 000010
【図９】
2014073296.tif 000011
【図１０】
2014073296.tif 000012
【図１１】
2014073296.tif 000013
【図１２】
2014073296.tif 000014
【図１３】
2014073296.tif 000015
【図１４】
2014073296.tif 000016
【図１５】
2014073296.tif 000017